(57)【要約】【課題】一定の評価基準に従いコンテンツの品質、安全性、信憑性等を査定するコンテンツ評価サーバ、コンテンツ評価方法及びコンテンツ評価プログラムを提供する。【解決手段】コンテンツ評価サーバ１は、各評価対象コンテンツ固有のコンテンツＩＤを格納するＩＤ管理記憶部１６と、本文データを格納する未処理本文記憶部１７と、コンテンツＩＤを作成してＩＤ管理記憶部に格納し、コンテンツＩＤと紐づけられた本文データを未処理本文記憶部に格納するタイムマネージングエンジン手段１５ａと、客観的評価を行う客観的評価装置１５ｂ〜１５ｊと、観的評価を行う主観的評価装置１５ｋ〜１５ｍと、客観的評価及び主観的評価の評価結果を格納する評価記憶部２３と、評価記憶部に格納される評価結果を基に評価対象コンテンツの総合的なキャラクタを判断するキャラクタエンジン手段１５ｎ等を備える。【選択図】図２
2010044462.tif 000002
【特許請求の範囲】
【請求項１】
インターネット上のコンテンツの評価を行う為のコンテンツ評価サーバであって、
評価対象コンテンツのＵＲＬ及び初回評価のタイムスタンプを含む各評価対象コンテンツ固有のコンテンツＩＤを格納するＩＤ管理記憶部と、
前記評価対象コンテンツのテキスト、音声、画像及び動画の少なくとも１つ以上を含む本文データを格納する未処理本文記憶部と、
前記コンテンツＩＤを作成して前記ＩＤ管理記憶部に格納し、前記コンテンツＩＤと紐づけられた前記本文データを前記未処理本文記憶部に格納するタイムマネージングエンジン手段と、
前記評価対象コンテンツに関する機械的に計測される値を評価する客観的評価を行う客観的評価装置と、
前記評価対象コンテンツに対する視聴者からの評価である主観的評価を行う主観的評価装置と、
前記客観的評価及び前記主観的評価の評価結果を格納する評価記憶部と、
前記評価記憶部に格納される前記評価結果を基に前記評価対象コンテンツの総合的なキャラクタを判断するキャラクタエンジン手段
とを備えることを特徴とするコンテンツ評価サーバ。
【請求項２】
前記客観的評価装置として、
劣悪なコンテンツに含まれるＮＧワードを格納するＮＧワード記憶部、
前記評価対象コンテンツの前記本文データに、前記ＮＧワード記憶部に格納されるＮＧワードと一致する用語があるか抽出し、抽出された前記ＮＧワードの出現率を算出し、算出結果を算出日時と共に前記評価記憶部に格納するＮＧワードエンジン手段、
話題となっている旬なキーワードより成る独自キーワードランキングリストを一定時間毎に作成し、前記独自キーワードランキングリストと前記評価対象コンテンツに含まれるキーワードが一致するかを一定時間毎に判定し、判定結果を判定日時と共にキーワードランキングデータとして前記評価記憶部に格納するキーワードランキングエンジン手段、
前記評価対象コンテンツへのリンクイン及び前記評価対象コンテンツからのリンクアウトを一定時間毎に評価し、評価結果を評価日時と共にリンクデータとして前記評価記憶部に格納するリンクエンジン手段、
前記評価対象コンテンツと類似するコンテンツが存在するか判断し、判断結果を前記評価記憶部に格納するコピぺエンジン手段、
前記評価対象コンテンツのＰＶ数及びＵＵ数を含むトラフィックデータを一定時間毎に算出し、算出日時と共に前記トラフィックデータを前記評価記憶部に格納するトラフィックエンジン手段、
前記評価対象コンテンツの前記本文データの絶対量及び更新頻度を一定時間毎に算出し、算出結果を算出日時と共に前記評価記憶部に格納するページエンジン手段、
前記評価対象コンテンツの視聴者のコンテンツ滞在時間を測定し、測定結果を測定日時と共に前記評価記憶部に格納するビュータイムエンジン手段、
前記評価対象コンテンツの前記本文データ内の同一ワード出現率を算出しスパム率として評価し、評価結果を評価日時と共にスパム評価記憶部２３ｊに格納するスパムエンジン手段
の少なくとも一つ以上を備えることを特徴とする請求項１に記載のコンテンツ評価サーバ。
【請求項３】
前記ＮＧワードエンジン手段は、前記ＮＧワードの出現率を基に、放送禁止用語を含むレッドレベル、低俗な用語を含むイエローレベル、標準的な言葉からかけ離れている不透明レベルを含むレベル別に分類する
ことを特徴とする請求項２に記載のコンテンツ評価サーバ。
【請求項４】
前記客観的評価装置は、
前記評価対象コンテンツの前記本文データより、そのコンテンツが取り扱う主たるテーマの方向性を解析し、前記主たるキーワード及び前記主たるキーワードに付属するキーワード群の組み合わせを抽出し、前記評価記憶部に格納するキーワードセグメントエンジン手段を更に備えることを特徴とする請求項１又は２に記載のコンテンツ評価サーバ。
【請求項５】
前記主観的評価装置として、
前記評価対象コンテンツの視聴者に対し、前記評価対象コンテンツに対するアンケートを実施して結果を回収し、回収結果を基に前記評価対象コンテンツに対する前記視聴者の主観的評価を一定時間毎に査定し、査定結果を査定日時と共にオーディエンスデータとして前記評価記憶部に格納するオーディエンスエンジン手段、
前記評価対象コンテンツに対するソーシャルブックマーク数を回収し、回収結果を基に一定時間毎に評価を行い、評価結果を評価日時と共にブックマークデータとして前記評価記憶部に格納するブックマークエンジン手段、
前記評価対象コンテンツを評価する評価委員に対し、前記評価対象コンテンツに対するアンケートを実施して結果を回収し、回収結果を基に前記評価対象コンテンツに対する前記評価委員の主観的評価を一定時間毎に査定し、査定結果を査定日時と共にコミッティデータとして前記評価記憶部に格納するコミッティエンジン手段
の少なくとも一つ以上を備えることを特徴とする請求項１に記載のコンテンツ評価サーバ。
【請求項６】
前記評価記憶部に格納される前記キーワードランキングデータ、前記リンクデータ、前記トラフィックデータ、前記オーディエンスデータ、前記ブックマークデータ及び前記コミッティデータの内の少なくとも１つ以上のデータと時間毎の相関関係を、加速度データとして作成し、前記評価記憶部に格納する加速度分析エンジン手段と、
前記評価記憶部に格納される前記加速度データを基に加速度予測を行う加速度予測エンジン手段
とを更に備えることを特徴とする請求項１、２、４又は５に記載のコンテンツ評価サーバ。
【請求項７】
インターネット上のコンテンツの評価を行う為のコンテンツ評価方法であって、
タイムマネージングエンジン手段が、評価対象コンテンツのＵＲＬ及び初回評価のタイムスタンプを含む各評価対象コンテンツ固有のコンテンツＩＤを作成してＩＤ管理記憶部に格納し、前記評価対象コンテンツのテキスト、音声、画像及び動画の少なくとも１つ以上を含む本文データを前記コンテンツＩＤと紐づけて未処理本文記憶部に格納するステップと、
前記評価対象コンテンツに関する機械的に計測される値を客観的評価するステップと、
前記評価対象コンテンツに対する視聴者からの評価である主観的評価を行うステップと、
前記客観的評価及び前記主観的評価の評価結果を評価記憶部に格納するステップと、
前記評価記憶部に格納される前記評価結果を基に前記評価対象コンテンツの総合的なキャラクタをキャラクタエンジン手段が判断するステップ
とを備えることを特徴とするコンテンツ評価方法。
【請求項８】
前記客観的評価するステップとして、
前記評価対象コンテンツの前記本文データと、劣悪なコンテンツに含まれるＮＧワードを記憶するＮＧワード記憶部内の前記ＮＧワードをＮＧワードエンジン手段が比較し、一致する用語がある場合抽出し、抽出された前記ＮＧワードの出現率を算出し、算出結果を算出日時と共に前記評価記憶部に格納するステップ、
話題となっている旬なキーワードより成る独自キーワードランキングリストをキーワードランキングエンジン手段が一定時間毎に作成し、前記独自キーワードランキングリストと前記評価対象コンテンツに含まれるキーワードが一致するかを一定時間毎に判定し、判定結果を判定日時と共にキーワードランキングデータとして前記評価記憶部に格納するステップ、
前記評価対象コンテンツへのリンクイン及び前記評価対象コンテンツからのリンクアウトをリンクエンジン手段が一定時間毎に評価し、評価結果を評価日時と共にリンクデータとして前記評価記憶部に格納するステップ、
前記評価対象コンテンツと類似するコンテンツが存在するかコピぺエンジン手段が判断し、判断結果を前記評価記憶部に格納するステップ、
前記評価対象コンテンツのＰＶ数及びＵＵ数を含むトラフィックデータをトラフィックエンジン手段が一定時間毎に算出し、算出日時と共に前記トラフィックデータを前記評価記憶部に格納するステップ、
前記評価対象コンテンツの前記本文データの絶対量及び更新頻度をページエンジン手段が一定時間毎に算出し、算出結果を算出日時と共に前記評価記憶部に格納するステップ、
前記評価対象コンテンツの視聴者のコンテンツ滞在時間をビュータイムエンジン手段が測定し、測定結果を測定日時と共に前記評価記憶部に格納するステップ、
前記評価対象コンテンツの前記本文データ内の同一ワード出現率をスパムエンジン手段がスパム率として評価し、評価結果を評価日時と共にスパム評価記憶部２３ｊに格納するステップ
の少なくとも一つ以上を備えることを特徴とする請求項７に記載のコンテンツ評価方法。
【請求項９】
前記ＮＧワードの出現率を算出し、算出結果を算出日時と共に前記評価記憶部に格納するステップは、前記ＮＧワードの出現率を基に、放送禁止用語を含むレッドレベル、低俗な用語を含むイエローレベル、標準的な言葉からかけ離れている不透明レベルを含むレベル別に分類するステップ
を含むことを特徴とする請求項８に記載のコンテンツ評価方法。
【請求項１０】
前記客観的評価装置は、
前記評価対象コンテンツの前記本文データより、そのコンテンツが取り扱う主たるテーマの方向性を解析し、前記主たるキーワード及び前記主たるキーワードに付属するキーワード群の組み合わせを抽出し、前記評価記憶部に格納するキーワードセグメントエンジン手段を更に備えることを特徴とする請求項７又は８に記載のコンテンツ評価方法。
【請求項１１】
前記主観的評価を行うステップは、
前記評価対象コンテンツの視聴者に対し、オーディエンスエンジン手段が前記評価対象コンテンツに対するアンケートを実施して結果を回収し、回収結果を基に前記評価対象コンテンツに対する前記視聴者の主観的評価を一定時間毎に査定し、査定結果を査定日時と共にオーディエンスデータとして前記評価記憶部に格納するステップ、
前記評価対象コンテンツに対するソーシャルブックマーク数をブックマークエンジン手段が回収し、回収結果を基に一定時間毎に評価を行い、評価結果を評価日時と共にブックマークデータとして前記評価記憶部に格納するステップ、
前記評価対象コンテンツを評価する評価委員に対し、コミッティエンジン手段が前記評価対象コンテンツに対するアンケートを実施して結果を回収し、回収結果を基に前記評価対象コンテンツに対する前記評価委員の主観的評価を一定時間毎に査定し、査定結果を査定日時と共にコミッティデータとして前記評価記憶部に格納するステップ
の少なくとも一つ以上を備えることを特徴とする請求項７に記載のコンテンツ評価方法。
【請求項１２】
前記評価記憶部に格納される前記キーワードランキングデータ、前記リンクデータ、前記トラフィックデータ、前記オーディエンスデータ、前記ブックマークデータ及び前記コミッティデータの内の少なくとも１つ以上のデータと時間毎の相関関係を、加速度分析エンジン手段が加速度データとして作成し、前記評価記憶部に格納するステップと、
前記評価記憶部に格納される前記加速度データを基に加速度予測エンジン手段が加速度予測を行うステップ
とを更に備えることを特徴とする請求項７、８、１０又は１１に記載のコンテンツ評価方法。
【請求項１３】
インターネット上のコンテンツの評価を行うコンピュータに実施させるコンテンツ評価プログラムであって、
タイムマネージングエンジン手段が、評価対象コンテンツのＵＲＬ及び初回評価のタイムスタンプを含む各評価対象コンテンツ固有のコンテンツＩＤを作成してＩＤ管理記憶部に格納し、前記評価対象コンテンツのテキスト、音声、画像及び動画の少なくとも１つ以上を含む本文データを前記コンテンツＩＤと紐づけて未処理本文記憶部に格納する命令と、
前記評価対象コンテンツに関する機械的に計測される値を客観的評価する命令と、
前記評価対象コンテンツに対する視聴者からの評価である主観的評価を行う命令と、
前記客観的評価及び前記主観的評価の評価結果を評価記憶部に格納する命令と、
前記評価記憶部に格納される前記評価結果を基に前記評価対象コンテンツの総合的なキャラクタをキャラクタエンジン手段が判断する命令
とを備えることを特徴とするコンテンツ評価プログラム。
【請求項１４】
前記客観的評価する命令として、
前記評価対象コンテンツの前記本文データと、劣悪なコンテンツに含まれるＮＧワードを記憶するＮＧワード記憶部内の前記ＮＧワードをＮＧワードエンジン手段比較し、一致する用語がある場合抽出し、抽出された前記ＮＧワードの出現率を算出し、算出結果を算出日時と共に前記評価記憶部に格納する命令、
話題となっている旬なキーワードより成る独自キーワードランキングリストをキーワードランキングエンジン手段が一定時間毎に作成し、前記独自キーワードランキングリストと前記評価対象コンテンツに含まれるキーワードが一致するかを一定時間毎に判定し、判定結果を判定日時と共にキーワードランキングデータとして前記評価記憶部に格納する命令、
前記評価対象コンテンツへのリンクイン及び前記評価対象コンテンツからのリンクアウトをリンクエンジン手段が一定時間毎に評価し、評価結果を評価日時と共にリンクデータとして前記評価記憶部に格納する命令、
前記評価対象コンテンツと類似するコンテンツが存在するかコピぺエンジン手段が判断し、判断結果を前記評価記憶部に格納する命令、
前記評価対象コンテンツのＰＶ数及びＵＵ数を含むトラフィックデータをトラフィックエンジン手段が一定時間毎に算出し、算出日時と共に前記トラフィックデータを前記評価記憶部に格納する命令、
前記評価対象コンテンツの前記本文データの絶対量及び更新頻度をページエンジン手段が一定時間毎に算出し、算出結果を算出日時と共に前記評価記憶部に格納する命令、
前記評価対象コンテンツの視聴者のコンテンツ滞在時間をビュータイムエンジン手段が測定し、測定結果を測定日時と共に前記評価記憶部に格納する命令、
前記評価対象コンテンツの前記本文データ内の同一ワード出現率をスパムエンジン手段がスパム率として評価し、評価結果を評価日時と共にスパム評価記憶部２３ｊに格納する命令
の少なくとも一つ以上を備えることを特徴とする請求項１３に記載のコンテンツ評価プログラム。
【請求項１５】
前記ＮＧワードの出現率を算出し、算出結果を算出日時と共に前記評価記憶部に格納する命令は、前記ＮＧワードの出現率を基に、放送禁止用語を含むレッドレベル、低俗な用語を含むイエローレベル、標準的な言葉からかけ離れている不透明レベルを含むレベル別に分類する命令
を含むことを特徴とする請求項１４に記載のコンテンツ評価プログラム。
【請求項１６】
前記客観的評価装置は、
前記評価対象コンテンツの前記本文データより、そのコンテンツが取り扱う主たるテーマの方向性を解析し、前記主たるキーワード及び前記主たるキーワードに付属するキーワード群の組み合わせを抽出し、前記評価記憶部に格納するキーワードセグメントエンジン手段を更に備えることを特徴とする請求項１３又は１４に記載のコンテンツ評価プログラム。
【請求項１７】
前記主観的評価を行う命令は、
前記評価対象コンテンツの視聴者に対し、オーディエンスエンジン手段が前記評価対象コンテンツに対するアンケートを実施して結果を回収し、回収結果を基に前記評価対象コンテンツに対する前記視聴者の主観的評価を一定時間毎に査定し、査定結果を査定日時と共にオーディエンスデータとして前記評価記憶部に格納する命令、
前記評価対象コンテンツに対するソーシャルブックマーク数をブックマークエンジン手段が回収し、回収結果を基に一定時間毎に評価を行い、評価結果を評価日時と共にブックマークデータとして前記評価記憶部に格納する命令、
前記評価対象コンテンツを評価する評価委員に対し、コミッティエンジン手段が前記評価対象コンテンツに対するアンケートを実施して結果を回収し、回収結果を基に前記評価対象コンテンツに対する前記評価委員の主観的評価を一定時間毎に査定し、査定結果を査定日時と共にコミッティデータとして前記評価記憶部に格納する命令
の少なくとも一つ以上を備えることを特徴とする請求項１３に記載のコンテンツ評価プログラム。
【請求項１８】
前記評価記憶部に格納される前記キーワードランキングデータ、前記リンクデータ、前記トラフィックデータ、前記オーディエンスデータ、前記ブックマークデータ及び前記コミッティデータの内の少なくとも１つ以上のデータと時間毎の相関関係を、加速度分析エンジン手段が加速度データとして作成し、前記評価記憶部に格納する命令と、
前記評価記憶部に格納される前記加速度データを基に加速度予測エンジン手段が加速度予測を行う命令
とを更に備えることを特徴とする請求項１３、１４、１６又は１７に記載のコンテンツ評価プログラム。
【発明の詳細な説明】
【技術分野】
【０００１】
本発明は、インターネット上のコンテンツに一定の評価基準を作成し、この評価基準に従いコンテンツの品質、安全性、信憑性等を査定する為のコンテンツ評価サーバ、コンテンツ評価方法及びコンテンツ評価プログラムに関する。
【背景技術】
【０００２】
web２．０におけるインターネットコンテンツは企業ホームページ、個人ブログ等のＣＧＭ（コンシューマ・ジェネレイテッド・メディア：消費者生成メディア）コンテンツがその７割を占め、このＣＧＭコンテンツを媒体としたアフィリエイト等の広告配信ビジネスが一般化している。ＣＧＭコンテンツの多くは情報の出元が不明瞭であり、信憑性、話題性、標準性等において不透明であり、自殺サイト等の不適切な情報を発信するコンテンツもある。しかし、中には非常に優良なコンテンツも存在し、その評価・格付けが課題となっている。
【０００３】
この評価手段として、Google（登録商標）等に代表されるクローラタイプ検索エンジンでは対象となるテキストコンテンツをインターネット全体から検索し、有効被リンク数等の評価により、ページランク等の客観的な評価を下すようにしている（非特許文献１参照。）。
【非特許文献１】西田圭介著、「Googleを支える技術  巨大システムの内側の世界 (WEB+DB PRESSプラスシリーズ)」、初版、株式会社技術評論社、２００８年３月２８日、Ｐ６
【発明の開示】
【発明が解決しようとする課題】
【０００４】
しかしながら、クローラタイプ検索エンジンでは、被有効リンク数等の客観的な評価を下すのみであり、実際にそのＣＧＭコンテンツの優劣を判断している訳ではなかった。又客観的評価としての評価項目も、適切な評価に十分な項目がそろっているとは言えなかった。更に評価の対象となるのは各コンテンツ内のテキストのみであった。評価もプラス評価のみで、そのコンテンツが優秀なコンテンツか有害サイトが判断することはできなかった。
【０００５】
本発明は、上記の問題点に鑑みてなされたものであり、複数種類の客観的評価項目と主観的評価項目を組み合わせ、合理的にＣＧＭコンテンツの評価を行う為のコンテンツ評価サーバ、コンテンツ評価方法及びコンテンツ評価プログラムを提供することを目的とする。
【課題を解決するための手段】
【０００６】
上記の問題点を鑑みて、本発明の第１の特徴は、［イ］インターネット上のコンテンツの評価を行う為のコンテンツ評価サーバであって、評価対象コンテンツのＵＲＬ及び初回評価のタイムスタンプを含む各評価対象コンテンツ固有のコンテンツＩＤを格納するＩＤ管理記憶部（１６）と、［ロ］評価対象コンテンツのテキスト、音声、画像及び動画の少なくとも１つ以上を含む本文データを格納する未処理本文記憶部（１７）と、［ハ］コンテンツＩＤを作成してＩＤ管理記憶部に格納し、コンテンツＩＤと紐づけられた本文データを未処理本文記憶部に格納するタイムマネージングエンジン手段（１５ａ）と、［ニ］評価対象コンテンツに関する機械的に計測される値を評価する客観的評価を行う客観的評価装置と、［ホ］評価対象コンテンツに対する視聴者からの評価である主観的評価を行う主観的評価装置と、［ヘ］客観的評価及び主観的評価の評価結果を格納する評価記憶部（２３）と、［ト］評価記憶部に格納される評価結果を基に評価対象コンテンツの総合的なキャラクタを判断するキャラクタエンジン手段（１５ｎ）とを備えるコンテンツ評価サーバであることを要旨とする。
【０００７】
本発明の第１の特徴としては、更に、［チ］客観的評価装置として、劣悪なコンテンツに含まれるＮＧワードを格納するＮＧワード記憶部（１８）、［リ］  評価対象コンテンツの本文データに、ＮＧワード記憶部に格納されるＮＧワードと一致する用語があるか抽出し、抽出されたＮＧワードの出現率を算出し、算出結果を算出日時と共に評価記憶部に格納するＮＧワードエンジン手段（１５ｂ）、［ヌ］話題となっている旬なキーワードより成る独自キーワードランキングリストを一定時間毎に作成し、独自キーワードランキングリストと評価対象コンテンツに含まれるキーワードが一致するかを一定時間毎に判定し、判定結果を判定日時と共にキーワードランキングデータとして評価記憶部に格納するキーワードランキングエンジン手段（１５ｃ）、［ル］評価対象コンテンツへのリンクイン及び評価対象コンテンツからのリンクアウトを一定時間毎に評価し、評価結果を評価日時と共にリンクデータとして評価記憶部に格納するリンクエンジン手段（１５ｅ）、［ヲ］評価対象コンテンツと類似するコンテンツが存在するか判断し、判断結果を評価記憶部に格納するコピぺエンジン手段（１５ｆ）、［ワ］評価対象コンテンツのＰＶ数及びＵＵ数を含むトラフィックデータを一定時間毎に算出し、算出日時と共にトラフィックデータを評価記憶部に格納するトラフィックエンジン手段（１５ｇ）、［カ］評価対象コンテンツの本文データの絶対量及び更新頻度を一定時間毎に算出し、算出結果を算出日時と共に評価記憶部に格納するページエンジン手段（１５ｈ）、［ヨ］  評価対象コンテンツの視聴者のコンテンツ滞在時間を測定し、測定結果を測定日時と共に評価記憶部に格納するビュータイムエンジン手段（１５ｉ）、［タ］評価対象コンテンツの本文データ内の同一ワード出現率を算出しスパム率として評価し、評価結果を評価日時と共にスパム評価記憶部２３ｊに格納するスパムエンジン手段（１５ｊ）の少なくとも一つ以上を備えることを加えても良い。
【０００８】
更に本発明の第１の特徴として、［レ］ＮＧワードエンジン手段は、ＮＧワードの出現率を基に、放送禁止用語を含むレッドレベル、低俗な用語を含むイエローレベル、標準的な言葉からかけ離れている不透明レベルを含むレベル別に分類すること、［ソ］客観的評価装置は、評価対象コンテンツの本文データより、そのコンテンツが取り扱う主たるテーマの方向性を解析し、主たるキーワード及び主たるキーワードに付属するキーワード群の組み合わせを抽出し、評価記憶部に格納するキーワードセグメントエンジン手段（１５ｄ）を更に備えること、［ツ］主観的評価装置として、評価対象コンテンツの視聴者に対し、評価対象コンテンツに対するアンケートを実施して結果を回収し、回収結果を基に評価対象コンテンツに対する視聴者の主観的評価を一定時間毎に査定し、査定結果を査定日時と共にオーディエンスデータとして評価記憶部に格納するオーディエンスエンジン手段（１５ｋ）、［ネ］評価対象コンテンツに対するソーシャルブックマーク数を回収し、回収結果を基に一定時間毎に評価を行い、評価結果を評価日時と共にブックマークデータとして評価記憶部に格納するブックマークエンジン手段（１５ｌ）、［ナ］評価対象コンテンツを評価する評価委員に対し、評価対象コンテンツに対するアンケートを実施して結果を回収し、回収結果を基に評価対象コンテンツに対する評価委員の主観的評価を一定時間毎に査定し、査定結果を査定日時と共にコミッティデータとして評価記憶部に格納するコミッティエンジン手段（１５ｍ）の少なくとも一つ以上を備えること、［ラ］評価記憶部に格納されるキーワードランキングデータ、リンクデータ、トラフィックデータ、オーディエンスデータ、ブックマークデータ及びコミッティデータの内の少なくとも１つ以上のデータと時間毎の相関関係を、加速度データとして作成し、評価記憶部に格納する加速度分析エンジン手段（１５ｏ）と、［ム］評価記憶部に格納される加速度データを基に加速度予測を行う加速度予測エンジン手段（１５ｐ）とを更に備えることを加えても良い。
【０００９】
本発明の第２の特徴は、［イ］インターネット上のコンテンツの評価を行う為のコンテンツ評価方法であって、タイムマネージングエンジン手段（１５ａ）が、評価対象コンテンツのＵＲＬ及び初回評価のタイムスタンプを含む各評価対象コンテンツ固有のコンテンツＩＤを作成してＩＤ管理記憶部（１６）に格納し、評価対象コンテンツのテキスト、音声、画像及び動画の少なくとも１つ以上を含む本文データをコンテンツＩＤと紐づけて未処理本文記憶部（１７）に格納するステップと、［ロ］評価対象コンテンツに関する機械的に計測される値を客観的評価するステップと、［ハ］評価対象コンテンツに対する視聴者からの評価である主観的評価を行うステップと、［ニ］客観的評価及び主観的評価の評価結果を評価記憶部（２３）に格納するステップと、［ホ］評価記憶部に格納される評価結果を基に評価対象コンテンツの総合的なキャラクタをキャラクタエンジン手段（１５ｎ）が判断するステップとを備えるコンテンツ評価方法であることを要旨とする。
【００１０】
本発明の第３の特徴は、［イ］インターネット上のコンテンツの評価を行うコンピュータに実施させるコンテンツ評価プログラムであって、タイムマネージングエンジン手段（１５ａ）が、評価対象コンテンツのＵＲＬ及び初回評価のタイムスタンプを含む各評価対象コンテンツ固有のコンテンツＩＤを作成してＩＤ管理記憶部（１６）に格納し、評価対象コンテンツのテキスト、音声、画像及び動画の少なくとも１つ以上を含む本文データをコンテンツＩＤと紐づけて未処理本文記憶部（１７）に格納する命令と、［ロ］評価対象コンテンツに関する機械的に計測される値を客観的評価する命令と、［ハ］評価対象コンテンツに対する視聴者からの評価である主観的評価を行う命令と、［ニ］客観的評価及び主観的評価の評価結果を評価記憶部（２３）に格納する命令と、［ホ］評価記憶部に格納される評価結果を基に評価対象コンテンツの総合的なキャラクタをキャラクタエンジン手段（１５ｎ）が判断する命令とを備えるコンテンツ評価プログラムであることを要旨とする。
【発明の効果】
【００１１】
本発明のコンテンツ評価サーバ、コンテンツ評価方法及びコンテンツ評価プログラムによると、客観的評価項目と主観的評価項目を組み合わせ、合理的に対象コンテンツの評価を行い、評価結果によりコンテンツを格付けすることができる。
【００１２】
評価対象コンテンツ内のテキストのみばかりでなく、音声、動画をも評価対象とすることが出来る。これにより他社の音声、動画等に関する著作権侵害を抑制することも可能となる。  
評価結果はプラス・マイナスの得点にて算出することが出来、マイナス得点である有害コンテンツの発見、削除を容易にする。これにより有害コンテンツ等へのモバイル接続制限を効果的に実施することができる。
【００１３】
企業やコンテンツ制作者の評価依頼により、評価実施を行うことができる。
【００１４】
各評価の内容、評価要素をサーバ側で任意に調整することができる。
【００１５】
コンテンツの評価を適正に行うことにより、優良コンテンツの付加価値が向上する。又、効果的なＳＥＯ（サーチエンジン最適化）、ＳＥＭ（検索エンジンマーケティング）対策ともなる。
【００１６】
更に、評価結果を分析することで、今後のコンテンツの人気度を予測することもできる。
【発明を実施するための最良の形態】
【００１７】
以下、本発明の実施の形態に係るコンテンツ評価サーバについて説明する。尚、本発明の実施の形態において使用される機器、手法等は一例であり、本発明はこれらに限定されるものではないことは勿論である。
【００１８】
（コンテンツ評価システム）
本発明の実施の形態に係るコンテンツ評価サーバ１を備えるコンテンツ評価システム１００は、図１に示すように、コンテンツ評価サーバ１と、評価対象となるＴＶポータルサービス６、モバイルサイト７、個人ブログ８、企業ホームページ９（以下、これらを「ＣＧＭコンテンツ」記載する）がインターネット５を介して接続可能となっている。ＴＶポータルサービス６は有料・無料の音楽サイト、動画サイトを指す。モバイルサイト７は、携帯電話用のＣＧＭコンテンツを指す。個人ブログ８は、個人が作成・更新するブログ、ホームページ等を指す。企業ホームページ９は、企業が運営する広告案内等のホームページを指す。
【００１９】
この他、インターネット上には外部総合サイトサーバ２、オーディエンス評価ページ３、評価委員会サイト４等が接続されている。外部総合サイトサーバ２は、Google（登録商標）、MSN（登録商標）、YAHOO（登録商標）等の他社が運営する総合サイトのシステムであり、コンテンツ評価サーバ１とインターネット５や高速専用回線等で接続可能となっている。
【００２０】
オーディエンス評価ページ３は外部総合サイトサーバ２やＣＧＭコンテンツが提供するページの隅、余白等に存在するアンケート形式のページであり、ページを閲覧した一般のネット視聴者にその内容の優劣を判断させ、回答をコンテンツ評価サーバ１宛に送信するよう設定されている。
【００２１】
評価委員会サイト４はコンテンツ評価サーバ１が運営するサイトであり、評価対象コンテンツの内容の優劣を評価委員に判断させる。評価委員はコンテンツ評価にあたり信頼できる資格を有する者又は該当分野に精通する有志の者とし、インターネット５上等で公募し、評価者ＩＤや特定のハンドルネーム等の簡易登録にて登録できるものとする。尚、非常に優秀な評価委員には謝礼を与えたり、逆に不適切な評価委員は登録を削除するようにしてもよい。意図的な評価捏造行為を阻止するため、評価者ＩＤ、ＩＰアドレス、エージェントキー等を監視することが好ましい。
【００２２】
（コンテンツ評価サーバ）
コンテンツ評価サーバ１は、図２に示すように、入力装置１１、出力装置１２、通信制御装置１３、主記憶装置１４、中央制御処理装置（以下ＣＰＵと記載）１５、ＩＤ管理記憶部１６、未処理本文記憶部１７、ＮＧワード記憶部１８、キーワード記憶部１９、ブックマーク記憶部２０、オーディエンス記憶部２１、コミッティ記憶部２２、評価記憶部２３、本文記憶部２４、加速度記憶部２５等を備えている。
【００２３】
ＣＰＵ１５は、コンテンツ評価のゲートウェイであるタイムマネージングエンジン手段１５ａと、評価対象コンテンツに関する機械的に計測される値を評価する客観的評価を行う客観的評価装置であるＮＧワードエンジン手段１５ｂ、キーワードランキングエンジン手段１５ｃ、キーワードセグメントエンジン手段１５ｄ、リンクエンジン手段１５ｅ、コピぺエンジン手段１５ｆ、トラフィックエンジン手段１５ｇ、ページエンジン手段１５ｈ、ビュータイムエンジン手段１５ｉ、スパムエンジン手段１５ｊと、評価対象コンテンツに対する視聴者からの評価である主観的評価を行う主観的評価装置オーディエンスエンジン手段１５ｋ、ブックマークエンジン手段１５ｌ、コミッティエンジン手段１５ｍと、客観的評価及び主観的評価を元に総合的人格を判定するキャラクタエンジン手段１５ｎと、客観的評価及び主観的評価を元に該当コンテンツの人気度・勢いを分析する加速度分析エンジン手段１５ｏと、分析結果を元に未来の加速度を予測する加速度予測エンジン手段１５ｐ等を備えている。
【００２４】
ＩＤ管理記憶部１６は、各ＣＧＭコンテンツ固有のコンテンツＩＤを記憶、管理する。コンテンツＩＤはそのコンテンツがコンテンツ評価サーバ１に初めて入力、評価処理された時間（タイムスタンプ）及びコンテンツのドメイン（ＵＲＬ）を基に作成される。
【００２５】
未処理本文記憶部１７は、各ＣＧＭコンテンツの評価前のテキスト、音声、画像、音声等（以下これらを「本文と記載する」）を記憶する。
【００２６】
ＮＧワード記憶部１８は、自殺、ポルノ等の劣悪サイトで使用されがちなＮＧワードを記憶する。ＮＧワードはリストとして、例えば、放送禁止用語リスト、タブー語リスト、有害薬物リスト、自殺関連用語リスト、ＡＶ女優リスト、風俗営業店リスト、猥褻用語リスト、２チャンネル用語リスト、ギャル語リスト等として保管されている。ＮＧワードは外部総合サイトサーバ２が作成したＮＧワードリスト等を検索して作成される。
【００２７】
キーワード記憶部１９は、現在最も検索されている、流行していると思われる旬なキーワードをランキング形式にて、例えば１位から１００位まで記憶する。例えば、大地震の発生後であれば「地震」、話題の映画の公開前や直後であればその映画のタイトル等が旬なキーワードとなる。キーワードは外部総合サイトサーバ２が作成するキーワードランキングを独自に統合することにより作成される。
【００２８】
ブックマーク記憶部２０は、評価対象コンテンツのＵＲＬが「お気に入り」等のブックマークにて他者、他社に登録されている数（ソーシャルブックマーク）を計測するためのプログラム、集計されたブックマーク数等を記憶する。一般的に、ブックマークとして登録されている数が多いほど、そのコンテンツは人気が高いと推測される。
【００２９】
オーディエンス記憶部２１は、オーディエンス評価ページ３にて一般のコンテンツ視聴者にアンケートを実施するための画面、プログラム、回収されたアンケート結果等を記憶する。
【００３０】
コミッティ記憶部２２は、評価委員会サイト４にて評価委員に評価依頼するための画面、プログラム、回収された評価結果等を記憶する。
【００３１】
評価記憶部２３は、客観的評価及び主観的評価等の評価結果を記憶するものであり、ＮＧワード評価記憶部２３ｂ、キーワードランキング評価記憶部２３ｃ、キーワードセグメント評価記憶部２３ｄ、リンク評価記憶部２３ｅ、コピぺ評価記憶部２３ｆ、トラフィック評価記憶部２３ｇ、ページ評価記憶部２３ｈ、ビュータイム評価記憶部２３ｉ、スパム評価記憶部２３ｊ、オーディエンス評価記憶部２３ｋ、ブックマーク評価記憶部２３ｌ、コミッティ評価記憶部２３ｍ、キャラクタ評価記憶部２３ｎ、加速度評価記憶部２３ｏ等を備えている。
【００３２】
各記憶部に格納される評価項目は概念的に図３に示すように客観的評価と主観的評価に区分される。８割の客観的評価（機械評価）に２割の主観的評価（視聴者等による評価）を加えることで、より合理的な評価を可能としている。更に客観的評価要素として信憑性、話題性、標準性、絶対数量に区分され、主観的評価として視聴者評価、評価委員会に区分される。具体的な項目としては図３および図４に示すように、先ず、「信憑性」の要素として「人物評価」「リンクイン」の項目を備える。信憑性とは、コンテンツを作成した人物、団体、組織の信頼度であり、その製作者の品格に由来する部分が大きい。「人格評価」とは、評価記憶部２３に蓄積された評価から査定される人格（キャラクタ）の傾向である。人格評価データはキャラクタ評価記憶部２３ｎに格納される。「リンクイン」とは、マスメディア、官庁、優良企業等の権威サイトからの直接リンクを指す。権威サイトからの直接リンクは社会的信用性を測定するバロメータである為、信憑性を計る項目としている。この他のサイトからの被リンク数の絶対数もリンクインデータとして使用する。リンクインデータは、リンク評価記憶部２３ｅに格納される。
【００３３】
話題性の要素として「ランキングキーワード」「セグメントキーワード」「タイムスタンプ」を備える。「話題性」とは現在ＣＧＭコンテンツ視聴者の間でニュース性のある話題であるかを指す。話題性には、速報性、芸術性、専門性、趣味性、社会性、政治性、地域性などが含まれる。話題性を測定する上で極めて重要な要素は、使用されているキーワードと投稿時間であり、コンテンツの投稿日時等の証明は、速報性測定の客観的かつ相対的な評価要素と考える。「ランキングキーワード」とは、評価対象コンテンツのページ内における旬なキーワードを指し、キーワード記憶部１９内の独自キーワードランキングとのキーワード比較対照により点数を算出し、この点数の高低によりニュース性が高いコンテンツであるかを判別する。ランキングキーワードデータはキーワードランキング評価記憶部２３ｃに格納される。「セグメントキーワード」とは、評価対象コンテンツのジャンル（種類）セグメントを指し、評価対象コンテンツのテーマの方向性を判断する。セグメントキーワードは、キーワードセグメント評価記憶部２３ｄに格納される。「タイムスタンプ」とは、評価対象コンテンツの初回登録処理にて設定される時刻を指す。評価対象コンテンツのドメイン（ＵＲＬ）とタイムスタンプの照合により、コンテンツページを時系列で管理する。尚、タイムスタンプにより時間のデータを登録、管理することをゲートウェイとして、評価対象コンテンツと各エンジン手段とのデータのやり取りを開始する。タイムスタンプデータは、ＩＤ管理記憶部１６に格納される。
【００３４】
キーワード等のデータ集積は、ＲＳＳ（リッチ・サイト・サマリ：ＷＥＢサイトの見出しや要約などのメタデータを構造化して記述するＸＭＬベースのフォーマット）のデータを参照する方法と、クローラを巡回させる方法の２通り行われる。尚、クローラとは全文検索型サーチエンジンの検索データベースを作成するために、世界中のありとあらゆるＷＥＢページを回収する汎用プログラムのことを指す。クローラは、自動的にデータベースに収録されていないＷＥＢページや、更新されたＷＥＢページを発見しては内容を回収し、結果をデータベースに反映させる。
【００３５】
標準性の要素として「言語解析：レッド」「言語解析：イエロー」「言語解析：不透明」「スパム」「リンクアウト」「著作権侵害」をそなえる。「標準性」とは、広い世代に渡り一般に受け入れられる性質を指す。文書、音声、動画等に使用される言語は、地域、世代、サブカルチャーによってばらつきあり、インターネット上の多くコンテンツは、無秩序に放置されている。標準性を測定することで標準的な、広く一般に受け入れられるコンテンツを抽出することが出来るようにする。「言語解析」は、各コンテンツのページ毎に診断されるＮＧワード出現率を基とした評価結果である。評価は、レッドレベル、イエローレベル、不透明レベルの三種類等に分けて判断する。レッドレベルは、放送禁止用語と公の場面で人目にふれることをタブーとされる用語であり、放送禁止用語リスト、タブー語リスト、有害薬物リスト、自殺関連用語リスト等に出現する用語である。イエローレベルは、主にアダルト系と低俗な情報を示す用語であり、ＡＶ女優リスト、風俗営業店リスト、猥褻用語リスト等に出現する用語である。不透明レベルは、実害はないが、標準的な日本語から著しくかけ離れていると判断される用語であり、２チャンネル用語リスト、ギャル語リスト等に出現する用語である。この他、その他のレベルとして、クライアント等の要望に応じて自由にＮＧワード用語を設定可能として良い。各言語解析データは、ＮＧワード評価記憶部２３ｂに格納される。「スパム」は、各コンテンツのページ単位で同じキーワードが羅列されていることを指し、このスパム率が高いページは無暗に同一ワードが多いページであり、優良コンテンツとしては好ましくないページであると判断する。スパムデータはスパム評価記憶部２３ｊに格納される。「リンクアウト」は評価対象コンテンツから外部ＵＲＬに出力接続されているリンク数を指す。過度な広告収入を目的としたページやファイル、或いは、ユーティリティサイトに見られるただ単にリンクを集合させた内容のページは、コンテンツ価値の評価を低くする。リンクアウト数の他、リンク先の客観的評価から現状評価することが望ましい。リンクアウトデータは、リンク評価記憶部２３ｅに格納される。「著作権侵害」とは、評価対象コンテンツが著作権を侵害しているかを判断する項目である。ＣＧＭコンテンツは簡単にテキストの切り張り（コピーアンドペイスト）ができ、安易な他者コンテンツ複製や転用が多数行われている実情がある為、評価対象コンテンツのオリジナリティを精査し、その真価を測定する。著作権侵害データは、コピぺ評価記憶部２３ｆに格納される。
【００３６】
絶対数量の要素として「サイトボリューム」「ＰＶ数」「ＵＵ数」「滞在時間」の項目を備える。「絶対数量」とは、評価対象コンテンツにて計測可能な絶対数量を指す。「サイトボリューム」は、評価対象コンテンツの総ページ数、更新頻度等を指す。コンテンツ自体の定量的な情報を得ることも、そのコンテンツの価値を計る構成要素と考えられる。具体的に、総ページ数はクローラ等によって計測し、更新頻度はＲＳＳの出力データやタイムスタンプ項目との連携データにより判断する。サイトボリュームデータは、ページ評価記憶部２３ｈに格納される。「ＰＶ数」は、評価対象コンテンツ全体及びページ単位のＰＶ（ページビュー：ページ閲覧回数）の計測値である。これにより評価対象コンテンツ全体の価値及び各ページの旬な度合いを測ることが可能となる。計測には汎用の集計エンジン等を使用する。「ＵＵ数」は、評価対象コンテンツ全体及びページ単位のＵＵ（ユニークユーザ：一定期間内にWebサイトに訪れた重複のないユーザの数）の計測値である。これにより評価対象コンテンツ全体の人気度や各ページの旬な度合いを測ることが可能となる。計測には汎用の集計エンジン等を使用する。尚、ＰＶ数÷ＵＵ数等の閲覧率を計測可能なデータ（以下「閲覧率」と記載）を使用しても構わない。ＰＶ数、ＵＵ数及び閲覧率等のデータは、トラフィック評価記憶部２３ｇに格納される。「滞在時間」は、視聴者が評価対象コンテンツを視聴した時間を指す。動画サイト等が普及した結果、滞在時間の計測も有効な要素として重要視する必要性がある為である。滞在時間データは、ビュータイム評価記憶部２３ｉに格納される。
【００３７】
主観的評価としては、視聴者評価の要素として「オーディエンス直接投票」「ブックマーク直接投票」の項目を備え、評価委員会の要素として「評価委員会直接投票」の項目を備える。主観的評価は、機械的に実行される客観的評価では測定できない、ネット視聴者による意見投票等の主観的評価を実際の評価に加味させる為のものである。「オーディエンス直接投票」とは、不特定多数の一般ネット視聴者等による主観的な意見を複数項目投票させたデータを指す。ネット視聴者は図１のオーディエンス評価ページ３を介して、対象ページに埋め込まれたタグ、ツールバー、ガジェットから投票できる。オーディエンス直接投票のデータは、オーディエンス評価記憶部２３ｋに格納される。「ブックマーク直接投票」とは、評価対象コンテンツに対するソーシャルブックマーク（よく使うサイトのアドレスを登録しておく「ブックマーク」や「お気に入り」等をネットワーク上に保存し、他のユーザと共有するサービス）を集計した結果データである。ブックマーク直接投票データはブックマーク評価記憶部２３ｌに格納される。「評価委員会直接投票」は、コンテンツ評価にあたり信頼できる資格を有する者又は該当分野に精通する有志の者で結成された評価委員による評価対象コンテンツの評価結果を指す。図１の評価委員会サイト４のホームページ等から投票する。評価委員会直接投票データは、コミッティ評価記憶部２３ｍに格納される。
【００３８】
この他、図２の本文記憶部２４は、初回の評価処理が行われた後の評価対象コンテンツの本文を格納するための記憶装置である。
【００３９】
加速度記憶部２５は、分析済みの過去の加速度グラフを格納する。加速度グラフは、現在の加速度グラフの今後の傾向を予測するのに使用される。現在の加速度グラフの予測結果及び実際の進行結果は加速度記憶部２５にフィードバックされる。
【００４０】
次に図２のＣＰＵ１５の各手段について説明する。タイムマネージングエンジン手段１５ａは、評価対象コンテンツのＵＲＬに評価初回処理の時刻（タイムスタンプ）を加え、各評価対象コンテンツ固有のコンテンツＩＤを作成し、ＩＤ管理記憶部１６に格納する。又、タイムマネージングエンジン手段１５ａは評価対象コンテンツのテキスト、音声、動画等の本文データをコンテンツＩＤと紐づけて未処理本文記憶部１７に格納する。この他、コンテンツＩＤ作成後にその他のエンジン手段に各々指示を与えるトリガーの役割をする。
【００４１】
ＮＧワードエンジン手段１５ｂは、評価対象コンテンツの本文データに、ＮＧワード記憶部に格納されるＮＧワードと一致する用語があるか抽出し、抽出されたＮＧワードの出現率を算出し、算出結果を算出日時と共に評価記憶部に格納する。具体的には各評価対象コンテンツのページ毎に、「ＮＧワード記憶部１８内のＮＧワードリストと一致するＮＧワードの総バイト数÷該当ページ内における２バイトの文字の総バイト数×１００」の計算処理を行い、該当ページ内のＮＧワードの出現率を計算し、評価する。評価は、レッドレベル、イエローレベル、不透明レベルの三種類等に分けて判断する。レッドレベルは、放送禁止用語と公の場面で人目にふれることをタブーとされる用語であり、ＮＧワード記憶部１８内にて、放送禁止用語リスト、タブー語リスト、有害薬物リスト、自殺関連用語リスト等にまとめられている。これらのリストとページ内に存在するキーワードを照合し、リスト内用語が一回でも出現したページは、有害なページの可能性があると判断する。ただし、新聞社等の公共の利益に貢献するサイトはこの限りではないものとする。イエローレベルは、主にアダルト系と低俗な情報を示す用語であり、ＮＧワード記憶部１８内にて、ＡＶ女優リスト、風俗営業店リスト、猥褻用語リスト等にまとめられている。これらのリストと出現キーワードを照合し、出現率が一定以上、例えば５％以上のページは、アダルト色の強いページと判断する。不透明レベルは、実害はないが、標準的な日本語から著しくかけ離れていると判断される用語であり、ＮＧワード記憶部１８内にて、２チャンネル用語リスト、ギャル語リスト等にまとめられている。この他、その他のレベルとして、クライアント等の要望に応じて自由にＮＧワード用語を設定可能として良い。これらのリストと出現キーワードを照合し、出現率が一定以上、例えば５％以上のページは、乱れた日本語にて作成されたページである可能性が高いと判断する。評価結果はＮＧワード評価記憶部２３ｂに格納される。
【００４２】
尚、ＮＧワードエンジン手段１５ｂは、評価対象コンテンツにタグを設置し、このタグからＮＧワード評価記憶部２３ｂに蓄積された評価結果を参照できるようにする。また、ＮＧワードエンジン手段１５ｂは、未処理本文記憶部１７に格納されている本文データからＮＧワードを抽出するが、本文データは音声データ、動画データ等を含む為、これらのキーワードはＮＧワードエンジン手段１５ｂが備えるヴォイスエンジンを用いて言語解析し、テキストとして抽出されたものを使用するものとする。
【００４３】
キーワードランキングエンジン手段１５ｃは、話題となっている旬なキーワードより成る独自キーワードランキングリストを一定時間毎に作成し、独自キーワードランキングリストと評価対象コンテンツに含まれるキーワードが一致するかを一定時間毎に判定し、判定結果を判定日時と共にキーワードランキングデータとして評価記憶部に格納する。具体的には、今話題の人物、現在の時事問題、新製品等より成る独自のキーワードランキングリストを作成及び更新し、更にこの独自のキーワードランキングリストを基準とした評価対象コンテンツの評価を行う。独自のキーワードランキングリストの作成は、goo（登録商標）ランキング、Infoseek（登録商標）キーワードランキング、BIGLOBE（登録商標）サーチ旬間ランキング、楽天（登録商標）ランキング市場、２ちゃんねる（登録商標）検索語ランキング等の外部総合サイトサーバ２が作成する各キーワードランキングを基にして、一定時間毎、例えば一時間毎に作成される。評価対象コンテンツの評価では、独自キーワードランキングリスト内のキーワードと、評価対象コンテンツの各ページに含まれるキーワードを比較し、一致するキーワードが存在しているか、又それは現在どれくらい旬なキーワードであるかを一定時間毎、例えば一時間毎に数値化する。該当キーワードその数値化された得点は、作成時間と共にキーワードランキング評価記憶部２３ｃに累積される。初回ランキング作成時を起点として、一定時間毎に得点の変遷データが取得され、グラフ化されることとなる。
【００４４】
尚、キーワードランキングエンジン手段１５ｃは、評価対象コンテンツの各ページに含まれるキーワードを未処理本文記憶部１７に格納されている本文データから抽出する。本文データは音声データ、動画データ等を含む為、これらのキーワードはキーワードランキングエンジン手段１５ｃが備えるヴォイスエンジンを用いて言語解析し、テキストとして抽出されたものを使用する。
【００４５】
キーワードセグメントエンジン手段１５ｄは、評価対象コンテンツの各ページに含まれるキーワードを形態素エンジン等にて解析し、そのコンテンツが取り扱う主たるテーマの方向性を解析する。更に主たるキーワードとそのキーワードに付随して使用されるキーワード群の組み合わせをマッピングする。主たるキーワードはサイトの見出し等にＨＩタグで書かれている単語、タイトル、ページの上部に記載されている単語等を解析して求め、そのページに頻出する単語をキーワード群組み合わせとする。例えば主たるキーワードが「夏休み」であれば、キーワード群の組み合わせは「花火大会」「海水浴」「夏旅行」等となる。主たるキーワード及びキーワード群の組み合わせはキーワードセグメント評価記憶部２３ｄに格納される。
【００４６】
リンクエンジン手段１５ｅは、評価対象コンテンツへのリンクイン及び評価対象コンテンツからのリンクアウトを一定時間毎に評価し、評価結果を評価日時と共にリンクデータとして評価記憶部に格納する。具体的には、評価対象コンテンツのリンクイン、リンクアウトを調査し、その数を計測して評価する。リンクインは、マスメディア、官庁、優良企業等の権威サイト及びその他のサイトからの被リンク数を評価対象とし、これらのサイトからの被リンク絶対数を計測、診断し、得点化する。リンクアウトは、評価対象コンテンツから外部ＵＲＬに出力接続されているリンク数を計測し、得点化する。得点化されたリンクインデータ及びリンクアウトデータは、リンク評価記憶部２３ｅに格納される。
【００４７】
コピぺエンジン手段１５ｆは、評価対象コンテンツと類似するコンテンツが存在すると判断された場合、タイムスタンプ等を照合し、時系列が古い方にそのオリジナル性を評価する。同一性評価結果のデータは著作権侵害データとしてコピぺ評価記憶部２３ｆに格納される。尚、コピぺエンジン手段１５ｆは、評価対象コンテンツでなくとも、予めランキング作成と同時に、独自キーワードランキング上位に含まれるキーワードを含むＣＧＭコンテンツに対しても自動的に同一性評価を実施しておくものとする。具体的には独自のキーワードランキングの上位にランクするキーワードについて、ＲＳＳリーダ等を利用して同一キーワードを複数含むコンテンツを検索する。検索された複数のコンテンツのうち２つを比較対象とし、同一キーワードが含まれる数量（同一文字コードの数量）を算出してその割合を求め、割合の度合いによって同一性を評価する。同一性評価結果のデータは著作権侵害データとしてコピぺ評価記憶部２３ｆに格納される。尚、同一性の最終定な判断は、コンテンツ全般に対して一定の見識を備えた者、例えばコンテンツ診断士等によって判断を下すことが望ましい。
【００４８】
トラフィックエンジン手段１５ｇは、評価対象コンテンツのＰＶ数及びＵＵ数を含むトラフィックデータを一定時間毎に算出し、算出日時と共にトラフィックデータを評価記憶部に格納する。具体的には、一定時間毎、例えば一時間毎にＰＶ数、ＵＵ数を計測し、ＰＶ数÷ＵＵ数（閲覧率）を算出し、その時間毎のＰＶ数、ＵＵ数、閲覧率をトラフィックデータとしてトラフィック評価記憶部２３ｇに格納する。トラフィックデータの時間変異は、キーワードランキングエンジン手段１５ｃが算出する該当キーワードその数値化された得点の時間毎の変遷データと兼ね合わされ、その相関関係は後述する加速度グラフとして表示される。
【００４９】
ページエンジン手段１５ｈは、評価対象コンテンツの本文データの絶対量及び更新頻度を一定時間毎に算出し、算出結果を算出日時と共に評価記憶部に格納する。具体的には、評価対象コンテンツのページの絶対数量及び更新頻度を計測し、評価する。具体的には、初回時にクローラ等を用いて評価対象コンテンツ全体の総ページ数を計測し、そのコンテンツドメイン、計測した基準日、計測された総ページ数をページ評価記憶部２３ｈに格納する。更に更新頻度を評価する為、一定期間毎、例えば一週間毎にて、クローラやＲＳＳリーダ等にて新規に追加されたページ数を読み込み、前回計測された総ページに追加ページ数を加算した数値を再評価日（更新日時）と共にページ評価記憶部２３ｈに格納する。
【００５０】
ビュータイムエンジン手段１５ｉは、コンテンツ視聴者のコンテンツ滞在時間（ビュータイム）を測定する。測定においては該当コンテンツの動画リンク数、全ページ数を考慮した利用密度としての測定結果を出す。測定結果は測定日時と共にビュータイムデータとしてビュータイム評価記憶部２３ｉに格納される。
【００５１】
スパムエンジン手段１５ｊは、評価対象コンテンツのページ毎の同一ワード出現率を計測し、評価する。具体的には「スパム率＝同一ワードのバイト数÷ページ全体のバイト数＊１００」を計算し、スパム率が５％以上のようならスパムページである可能性があると判断する。スパム率及び評価結果は評価日時と共にスパム評価記憶部２３ｊに格納する。
【００５２】
オーディエンスエンジン手段１５ｋは、「このサイトの情報は参考になりましたか？」等の文章を一般のコンテンツ視聴者が閲覧する画面の一部に提示し、アンケートを実施し、結果を回収する。アンケート実施はブログツール、ツールバー、プラグイン、ガジェット等による投票にて行われる。回収された結果はオーディエンス記憶部２１に格納される。又、オーディエンスエンジン手段１５ｋは、定期的に、オーディエンス記憶部２１に格納される回収結果を基に、視聴者の主観的評価を一定時間毎に査定する。評価結果は評価日時と共にオーディエンス評価記憶部２３ｋに格納される。
【００５３】
ブックマークエンジン手段１５ｌは、評価対象コンテンツに対するソーシャルブックマーク数等を回収する。回収結果はブックマーク記憶部２０に格納される。又、ブックマークエンジン手段１５ｌは、定期的にブックマーク記憶部２０に格納される回収結果を基に一定時間毎にブックマーク評価を行う。評価結果は評価日時と共にブックマーク評価記憶部２３ｌに格納される。
【００５４】
コミッティエンジン手段１５ｍは、評価委員による評価対象コンテンツのアンケート、投票結果を回収する。アンケート等は評価委員会ホームページ、ツールバー、プラグイン、ガジェット等の投票にて実施される。回収された結果はコミッティ記憶部２２に格納される。又、コミッティエンジン手段１５ｍは、一定時間毎にコミッティ記憶部２２に格納される回収結果を基に評価委員の主観的評価を査定する。評価結果は評価日時と共にコミッティ評価記憶部２３ｍに格納される。
【００５５】
キャラクタエンジン手段１５ｎは、評価記憶部２３内の評価結果を基に、評価対象コンテンツの総合的キャラクタ（人格）を数値化し、総合評価を作成する。総合評価は図６のようにグラフ化して示される。例えば、キーワードランキング評価記憶部２３ｃに格納されるキーワードランキングデータを基に、内容の新しさ、時代性を評価する「斬新度」を作成する。同様に、ページ評価記憶部２３ｈ内のページデータより、分量の多さ、更新の頻繁さを評価する「活発度」を作成する。ＮＧワード評価記憶部２３ｂ、リンク評価記憶部２３ｅ、コピペ評価記憶部２３ｆ、スパム評価記憶部２３ｊ内の各データより、内容の正しさ、誠実さを評価する「誠実度」を作成する。オーディエンス評価記憶部２３ｋ、ブックマーク評価記憶部２３ｌ、コミッティ評価記憶部２３ｍ内の各データより、大衆による主観的な人気度の評価である「大衆評価度」を作成する。キーワードセグメント評価記憶部２３ｄ内のキーワードセグメントデータより、内容の博識さ、独創性を評価する「知性個性度」を作成する。トラフィック評価記憶部２３ｇ、ビュータイム評価記憶部２３ｉ内の各データより、客観的な人気度、知名度を評価する「知名度」を作成する。尚、このグラフ項目は一例であり、この他にも新たな評価項目を加え、それを基に新たな総合キャラクタ（度）を判断してもかまわない。作成された総合評価（キャラクタデータ）はキャラクタ評価記憶部２３ｎに格納される。
【００５６】
加速度分析エンジン手段１５ｏは、評価記憶部２３に格納されるキーワードランキングデータ、リンクデータ、トラフィックデータ、オーディエンスデータ、ブックマークデータ及びコミッティデータの内の少なくとも１つ以上のデータと時間毎の相関関係を、加速度式や加速度グラフ等の加速度データとして作成し、加速度評価記憶部２３ｏに格納する。具体的には、トラフィック評価記憶部２３ｇに格納される時間毎の閲覧率変異データと、キーワードランキング評価記憶部２３ｃに格納される該当キーワード及びその数値化された得点の時間毎の変遷データとを合わせて分析し、該当キーワードの「経過時間」、「キーワード得点（旬度）」、「閲覧率（客観的人気度）」の相関関係を加速度式や加速度グラフとして作成する。尚、加速度式や加速度グラフは、この他にも時間毎の計測が可能なパラメータ、例えばリンク評価記憶部２３ｅ、トラフィック評価記憶部２３ｇ、オーディエンス評価記憶部２３ｋ、ブックマーク評価記憶部２３ｌ、コミッティ評価記憶部２３ｍ等のデータに対しても作成される。
【００５７】
加速度予測エンジン手段１５ｐは、加速度評価記憶部２３ｏに格納される加速度式、加速度グラフデータを基に加速度予測を行い、予測済みの加速度グラフを加速度記憶部２５に格納する。例えば、対象キーワード及び対象キーワードを含むコンテンツの今後の旬度、今後の客観的人気度等の予測を行う。更に加速度予測エンジン手段１５ｐは、加速度記憶部２５内の過去の分析済み加速度グラフデータをチャート化し、チャート分析にて新規の加速度グラフデータの今後の傾向を予測することもできる。予測は、時間毎の計測が可能なパラメータ、例えばリンク評価記憶部２３ｅ、オーディエンス評価記憶部２３ｋ、ブックマーク評価記憶部２３ｌ、コミッティ評価記憶部２３ｍ等のデータを利用して行う。
【００５８】
この他、入力装置１１は、キーボード、マウス等から入力信号を受信するインタフェースである。出力装置１２は、処理結果等を出力するための装置であり、具体的には液晶ディスプレイ、ＣＲＴディスプレイ、プリンタ等を指す。フロッピー（登録商標）ディスク、ハードディスク等の外部記憶装置を介して入力されても良い。通信制御装置１３は、サーバ内装置間にてデータを送受信する為の制御信号を生成する。主記憶装置１４は、主メモリとして、処理の手順を記述したプログラムや処理されるべきデータを一時的に記憶し、ＣＰＵ１５の要請に従ってプログラムの機械命令やデータを引き渡す。また、ＣＰＵ１５で処理されたデータは主記憶装置１４に書き込まれる。主記憶装置１４とＣＰＵ１５はアドレスバス、データバス、制御信号等で結ばれている。
【００５９】
（コンテンツ評価サーバの動作）
以下、本実施の形態に係るコンテンツ評価サーバ１の動作には、図６に示すように、１．クローリング処理動作、２．ワード処理動作、３．主観情報取得処理動作、４．初回コンテンツ評価処理動作、５．定期巡回コンテンツ評価処理動作、６．加速度評価処理動作がある。以下、これらの動作について説明する。
【００６０】
（１．クローリング処理動作）
クローリング処理動作は、コンテンツ評価の前準備として各コンテンツにコンテンツＩＤを付与する為の処理であり、具体的に図７のフローに示す動作を行う。
【００６１】
（ａ）まずステップＳ１１において、クローラ等により評価対象コンテンツをインターネット上より検索し、ステップＳ１２において、検索されたコンテンツをコンテンツ評価サーバ１に入力する。
【００６２】
（ｂ）ステップＳ１３においてタイムマネージングエンジン手段１５ａがこのコンテンツを取得すると、評価対象コンテンツに取得日時のタイムスタンプを付与し、更にこの評価対象コンテンツのＵＲＬとタイムスタンプを組み合わせて、各コンテンツ固有のコンテンツＩＤを作成する。コンテンツＩＤはＩＤ管理記憶部１６に格納され、評価対象コンテンツの本文はコンテンツＩＤと紐づけられて未処理本文記憶部１７に格納される。
【００６３】
尚、上記のクローリング処理は、依頼された評価対象コンテンツのみならず、インターネット上に存在する主たるＣＧＭコンテンツについても前もって処理しておくことが好ましい。
【００６４】
（２．ワード処理動作）
ワード処理は、コンテンツ評価の前準備として、ＮＧワードリストと独自キーワードランキングリストを作成する処理である。先ず、ＮＧワードリスト作成の動作について図８のフローを参照して説明する。
【００６５】
（ａ）ステップＳ２１において、ＮＧワード用クローラ等により外部総合サイトサーバ２が作成するＮＧワードリストをインターネット上より検索し、ステップＳ２２において、検索されたリストをコンテンツ評価サーバ１に入力する。
【００６６】
（ｂ）ステップＳ２３においてＮＧワードエンジン手段１５ｂが外部で作成されたＮＧワードリストを取得すると、これらのＮＧワードリストを基に、独自ＮＧワードリストを作成する。ＮＧワードエンジン手段１５ｂは作成された独自ＮＧワードリストを作成時刻と共にＮＧワード記憶部１８に格納する。尚、このリスト作成処理は一定間隔毎に行われるものとする。
【００６７】
次に独自キーワードランキングリスト作成の動作について図９のフローを参照して説明する。
【００６８】
（ａ）ステップＳ３１において、キーワード用クローラ等により外部総合サイトサーバ２が作成するキーワードランキングリストをインターネット上より検索し、ステップＳ３２において、検索されたリストをコンテンツ評価サーバ１に入力する。
【００６９】
（ｂ）ステップＳ３３においては、キーワードランキングリスト内の各キーワードに得点をつける。クローリングした外部総合サイトサーバ２の数をｎ個とし、各サイトが１００位までをランキングしているとすると、１位から１００位までのキーワード数は、１００ｎ個存在することになる。その１００ｎ個のキーワードを、１位を１００ポイント最高点、２位を９９ポイント点…１００位を１点として点数を与える。
【００７０】
（ｃ）ステップＳ３４においては、これらのキーワードをソートし、同一キーワードが発生している場合は、それぞれの点数を合算し、ひとつの結果にまとめる。この作業により、あるキーワードの最高点はポイント最高ｎ点となる。これにより１００（ｎ−α）個のキーワード（αは重複のためにさし引いた個数）とこれらに各々対応する点数のリストから成る独自キーワードランキングリストが作成される。作成された独自キーワードランキングリストは作成時刻と共にキーワード記憶部１９に格納される。尚、このリスト作成処理は一定間隔毎に行われるものとする。
【００７１】
（３．主観情報取得処理動作）
主観情報取得処理は、コンテンツ評価の前準備として、主観的評価となるブックマーク、一般のコンテンツ視聴者、評価委員による評価対象コンテンツに対する評価を取得可能なように設定し、回収する処理である。先ず、ブックマーク評価の動作について図１０のフローを参照して説明する。
【００７２】
（ａ）ステップＳ４１において、ブックマークエンジン手段１５ｌはブックマーク用クローラ等によりインターネット上に存在するＣＧＭコンテンツより評価対象コンテンツに対するブックマークを一定間隔毎に検索し、ステップＳ４２において、検索されたブックマークをコンテンツ評価サーバ１に入力する。
【００７３】
（ｂ）ステップＳ４３においては、ブックマークエンジン手段１５ｌが検索されたブックマークデータを回収し、回収日時と共にブックマーク記憶部２０に格納する。
【００７４】
次に、一般のコンテンツ視聴者による評価の動作について図１１のフローを参照して説明する。
【００７５】
（ａ）ステップＳ５１において、オーディエンスエンジン手段１５ｋはインターネット上に存在するＣＧＭコンテンツに対し、評価対象コンテンツの評価に関するアンケートを実施するよう設定する。具体的には「このサイトの情報は参考になりましたか？」等の文章を一般のコンテンツ視聴者が閲覧する画面の一部に提示し、入力を促すようにする。アンケート実施はブログツール、ツールバー、プラグイン、ガジェット等による投票にて行われる。尚、アンケートでは、ドメイン名についても評価を依頼することが望ましい。
【００７６】
（ｂ）ステップＳ５２において、オーディエンスエンジン手段１５ｋは、アンケート結果を回収する。回収結果は回収日時と共にオーディエンス記憶部２１に格納される。
【００７７】
最後に、評価委員会による評価の動作について図１２のフローを参照して説明する。
【００７８】
（ａ）ステップＳ６１において、コミッティエンジン手段１５ｍはインターネット上に存在する評価委員会ホームページにて、評価対象コンテンツの評価を依頼するよう設定する。具体的には「このサイトについて評価してください」等の文章を評価委員会ホームページ画面に提示し、入力を促す。評価委員はコンテンツ評価にあたり信頼できる資格を有する者又は該当分野に精通する有志の者で構成されるが、ハンドルネーム等の最低限の登録は行うようにすることが好ましい。評価依頼はこの他、ツールバー、プラグイン、ガジェット等による投票にて行ってもよい。尚、ドメイン名についても評価を依頼することが望ましい。
【００７９】
（ｂ）ステップＳ６２において、コミッティエンジン手段１５ｍは、依頼した評価を回収する。回収結果は回収日時と共にコミッティ記憶部２２に格納される。
【００８０】
（４．初回コンテンツ評価処理動作）
１．クローリング処理、２．ワード処理、３．主観情報取得処理の準備が完了すると、初回コンテンツ評価処理に移行する。初回コンテンツ評価処理は、評価対象コンテンツの本文の各評価の処理である。以下、初回コンテンツ評価処理について図１３を参照して説明する。
【００８１】
（ａ）先ずステップＳ７１において、評価対象コンテンツのコンテンツＩＤをＩＤ管理記憶部１６から取得し、コンテンツＩＤに紐づけられる本文を未処理本文記憶部１７から取得する。
【００８２】
（ｂ）ステップＳ７２において、ＮＧワードエンジン手段１５ｂは、取得した本文に動画、音声等が含まれる場合はこれらをテキスト化する。その後、本文中にＮＧワードが含まれているかを判断し、含む場合はその割合を算出する。具体的にＮＧワードエンジン手段１５ｂは、各評価対象コンテンツのページ毎に、「ＮＧワード記憶部１８内のＮＧワードリストと一致するＮＧワードの総バイト数÷該当ページ内における２バイトの文字の総バイト数×１００」の計算処理を行い、該当ページ内のＮＧワードの出現率を算出する。算出結果は、レッドレベル、イエローレベル、不透明レベルの三種類等に分けて評価される。レッドレベルは、放送禁止用語と公の場面で人目にふれることをタブーとされる用語であり、ＮＧワード記憶部１８内にて、放送禁止用語リスト、タブー語リスト、有害薬物リスト、自殺関連用語リスト等にまとめられている。ＮＧワードエンジン手段１５ｂは、これらのリストとページ内に存在するキーワードを照合し、リスト内用語が一回でも出現したページは、有害なページの可能性があると判断する。イエローレベルは、主にアダルト系と低俗な情報を示す用語であり、ＮＧワード記憶部１８内にて、ＡＶ女優リスト、風俗営業店リスト、猥褻用語リスト等にまとめられている。この他、その他のレベルとして、クライアント等の要望に応じて自由にＮＧワード用語を設定可能として良い。ＮＧワードエンジン手段１５ｂは、これらのリストと出現キーワードを照合し、出現率が一定以上、例えば５％以上のページは、アダルト色の強いページと判断する。不透明レベルは、実害はないが、標準的な日本語から著しくかけ離れていると判断される用語であり、ＮＧワード記憶部１８内にて、２チャンネル用語リスト、ギャル語リスト等にまとめられている。ＮＧワードエンジン手段１５ｂは、これらのリストと出現キーワードを照合し、出現率が一定以上、例えば５％以上のページは、乱れた日本語にて作成されたページである可能性が高いと判断する。評価結果はＮＧワード評価記憶部２３ｂに格納される。
【００８３】
（ｃ）ステップＳ７３において、キーワードランキングエンジン手段１５ｃは、取得した本文に動画、音声等が含まれる場合はこれらをテキスト化する。その後、本文中にキーワードが含まれているかを判断し、含む場合はその得点を算出する。具体的にキーワードランキングエンジン手段１５ｃは、キーワード記憶部１９に格納される独自キーワードランキングリスト内のキーワードと、評価対象コンテンツの各ページに含まれるキーワードを比較し、一致するキーワードが存在しているか、又存在する場合その得点を算出する。尚、ページ内に旬キーワードが複数存在する場合、１００点を上限として各旬キーワードの合算を行うようにする。例えばあるページ内に旬キーワードＡ（ａ点）が２個と旬キーワードＢ（ｂ点）が１個存在する場合、（２ａ＋ｂ）÷１００÷旬キーワードの種類数（この場合２）等のように算出するようにする。該当キーワードとその得点は、作成時間と共にキーワードランキング評価記憶部２３ｃに累積される。初回ランキング作成時刻は評価グラフの起点となる。
【００８４】
（ｄ）ステップＳ７４において、キーワードセグメントエンジン手段１５ｄは、評価対象コンテンツ本文に含まれるキーワードを形態素エンジン等にて解析し、そのコンテンツが取り扱う主たるテーマの方向性を解析する。更に主たるキーワードとそのキーワードに付随して使用されるキーワード群の組み合わせをマッピングする。主たるキーワードはサイトの見出し等にＨＩタグで書かれている単語、タイトル、ページの上部に記載されている単語等を解析して求め、そのページに頻出する単語をキーワード群の組み合わせとする。主たるキーワード及びキーワード群の組み合わせはキーワードセグメント評価記憶部２３ｄに格納される。
【００８５】
（ｅ）ステップＳ７５において、コピペエンジン手段１５ｆは、評価対象コンテンツ本文に含まれるキーワードが独自キーワードランキングリストに含まれるキーワードであった場合、ＲＳＳリーダ等を利用して同一キーワードを複数含むコンテンツを検索する。同一キーワードを複数含むコンテンツが検索されると、同一キーワードが含まれる数量（同一文字コードの数量）を算出してその割合を求め、割合の度合いによって同一性を評価する。尚、同一性が認められる場合、コンテンツＩＤに含まれるタイムスタンプを基に、時間が古いほうにそのオリジナリティを認める。同一性評価結果のデータは著作権侵害データとしてコピぺ評価記憶部２３ｆに格納される。尚、同一性の最終定な判断は、コンテンツ全般に対して一定の見識を備えた者、例えばコンテンツ診断士等によって判断を下しても構わない。
【００８６】
（ｆ）ステップＳ７６において、スパムエンジン手段１５ｊは、評価対象コンテンツ本文のページ毎の同一ワード出現率を計測し、評価する。具体的には「スパム率＝同一ワードのバイト数÷ページ全体のバイト数＊１００」を計算し、スパム率が一定率、例えば５％以上のようならスパムページである可能性があると判断する。判断結果はスパム評価記憶部２３ｊに格納される。
【００８７】
（ｇ）ステップＳ７７において、リンクエンジン手段１５ｅは、評価対象コンテンツ本文のリンクイン、リンクアウトを調査し、その数を計測して評価する。リンクインは、権威サイト及びその他のサイトからの被リンク数を評価対象とし、これらのサイトからの被リンク絶対数を計測、診断し、得点化する。リンクアウトは、評価対象コンテンツから外部ＵＲＬに出力接続されているリンク数を計測し、得点化する。得点化されたリンクインデータ及びリンクアウトデータは、リンク評価記憶部２３ｅに格納される。
【００８８】
（ｈ）ステップＳ７８において、キャラクタエンジン手段１５ｎは、ＮＧワード評価記憶部２３ｂ、キーワードランキング評価記憶部２３ｃ、キーワードセグメント評価記憶部２３ｄ、コピペ評価記憶部２３ｆ、スパム評価記憶部２３ｊ、リンク評価記憶部２３ｅに格納される初回の評価結果を基に、評価対象コンテンツの総合的キャラクタ（人格）を数値化し、総合評価を作成する。総合評価は図６のようにグラフ化して示される。具体的に数値化は、図４に示す最低点・最高点・基準点に当てはめて行われる。ＮＧワード評価記憶部２３ｂの評価結果は、レッドが−２０〜０点の範囲、イエローが−１０〜５点の範囲、不透明が−３〜５点の範囲で得点化される。キーワードランキング評価記憶部２３ｃの評価結果は０〜１０点の範囲で得点される。キーワードセグメント評価記憶部２３ｄの評価結果は０〜１０点の範囲で得点される。コピペ評価記憶部２３ｆの評価結果は０〜０点の範囲で得点される。スパム評価記憶部２３ｊの評価結果は−１０〜５点の範囲で得点される。リンク評価記憶部２３ｅの評価結果は−１０〜５点の範囲で得点される。尚、これら最低点・最高点・基準点の点範囲は一例であり、プログラマ設定やクライアントからの要望により自由に変更できるものとする。
【００８９】
最後にキャラクタエンジン手段１５ｎは、数値化された各評価結果をキャラクタ評価記憶部２３ｎに格納する。又、初回評価処理後の本文を本文記憶部２４に格納する。
【００９０】
（５．定期巡回コンテンツ評価処理動作）
コンテンツに記載の内容は随時新規追加、更新、削除等されるのが一般的であり、これらを定期的に観察することが正しいコンテンツ評価としては望ましい。このため本発明の実施の形態においては定期巡回コンテンツ評価を行う。以下に、定期的、例えば１時間毎、１日毎等に繰り返し実施される、初回コンテンツ評価済みの評価対象コンテンツの巡回評価について図１４のフローを参照して説明する。
【００９１】
（ａ）先ずステップＳ８１において、予め設定される巡回時刻となると、評価対象コンテンツのコンテンツＩＤをＩＤ管理記憶部１６から取得し、コンテンツＩＤに紐づけられる本文を本文記憶部２４から取得する。
【００９２】
（ｂ）ステップＳ８２において、ＮＧワードエンジン手段１５ｂは、本文中にＮＧワードが含まれているかを判断し、含む場合はその割合を算出する。算出結果は、レッドレベル、イエローレベル、不透明レベルの三種類等に分けて評価される。評価の内容はステップＳ７２と同様である。評価結果は巡回時刻と共にＮＧワード評価記憶部２３ｂに格納される。
【００９３】
（ｃ）ステップＳ８３において、キーワードランキングエンジン手段１５ｃは、本文中にキーワードが含まれているかを判断し、含む場合はその得点を算出する。評価の内容はステップＳ７３と同様である。該当キーワードとその得点は、巡回時刻と共にキーワードランキング評価記憶部２３ｃに格納される。
【００９４】
（ｄ）ステップＳ８４において、キーワードセグメントエンジン手段１５ｄは、本文に含まれるキーワードを形態素エンジン等にて解析しコンテンツが取り扱う主たるテーマの方向性を解析し、主たるキーワードとそのキーワードに付随して使用されるキーワード群の組み合わせをマッピングする。主たるキーワード及びキーワード群の組み合わせは巡回時刻と共にキーワードセグメント評価記憶部２３ｄに格納される。
【００９５】
（ｅ）ステップＳ８５において、リンクエンジン手段１５ｅは、本文のリンクイン、リンクアウトを調査し、その数を得点化、評価する。得点化されたリンクインデータ及びリンクアウトデータは巡回時刻と共にリンク評価記憶部２３ｅに格納される。
【００９６】
（ｆ）ステップＳ８６において、トラフィックエンジン手段１５ｇは、定期巡回時刻毎にＰＶ数、ＵＵ数を計測し、ＰＶ数÷ＵＵ数（閲覧率）を算出し、そのＰＶ数、ＵＵ数、閲覧率をトラフィックデータとして巡回時刻と共にトラフィック評価記憶部２３ｇに格納する。
【００９７】
（ｇ）ステップＳ８７において、ビュータイムエンジン手段１５ｉは、定期巡回時刻毎にコンテンツ視聴者のコンテンツ滞在時間（ビュータイム）を測定する。測定においては該当コンテンツの動画リンク数、全ページ数を考慮した利用密度としての測定結果を出す。測定結果は定期巡回時刻と共にビュータイムデータとしてビュータイム評価記憶部２３ｉに格納される。
【００９８】
（ｈ）ステップＳ８８において、ブックマークエンジン手段１５ｌは、ブックマーク記憶部２０に格納される回収されたソーシャルブックマーク数等を集計処理し、ブックマーク評価を行う。ブックマーク評価の結果は定期巡回時刻と共にブックマーク評価記憶部２３ｌに格納される。
【００９９】
（ｉ）ステップＳ８９において、オーディエンスエンジン手段１５ｋは、オーディエンス記憶部２１に格納されるオーディエンス評価の回収結果を集計処理し、一般のコンテンツ視聴者による評価対象コンテンツの評価を行う。オーディエンス評価の結果は定期巡回時刻と共にオーディエンス評価記憶部２３ｋに格納される。
【０１００】
（ｊ）ステップＳ９０において、コミッティエンジン手段１５ｍは、コミッティ記憶部２２に格納される回収結果を集計処理し、評価委員会による評価対象コンテンツの評価を行う。評価委員会による評価の結果は定期巡回時刻と共にコミッティ評価記憶部２３ｍに格納される。
【０１０１】
（ｋ）ステップＳ９１において、キャラクタエンジン手段１５ｎは、ＮＧワード評価記憶部２３ｂ、キーワードランキング評価記憶部２３ｃ、キーワードセグメント評価記憶部２３ｄ、リンク評価記憶部２３ｅ、トラフィック評価記憶部２３ｇ、ビュータイム評価記憶部２３ｉ、ブックマーク評価記憶部２３ｌ、オーディエンス評価記憶部２３ｋ、コミッティ評価記憶部２３ｍに格納される巡回時の評価結果を基に、評価対象コンテンツの総合的キャラクタ（人格）を数値化し、総合評価を作成する。トラフィック評価記憶部２３ｇの評価は図４に示すように０〜５点の範囲で行う。ビュータイム評価記憶部２３ｉの評価は図４に示すように０〜５点の範囲で行う。ブックマーク評価記憶部２３ｌの評価は図４に示すように−１０〜１０点の範囲で行う。オーディエンス評価記憶部２３ｋの評価は図４に示すように−１０〜１０点の範囲で行う。コミッティ記憶部２２の評価は図４に示すように−１０〜１０点の範囲で行う。その他の評価はステップＳ７８と同様の範囲で行う。総合評価は図６のようにグラフ化して示される。最後にキャラクタエンジン手段１５ｎは、数値化された各評価結果を巡回時刻と共にキャラクタ評価記憶部２３ｎに格納する。格納された各評価結果を基にキャラクタ評価を行うが、評価は蓄積されるため、該当人物の人格評価データがまだ蓄積できていない段階では、生善説を採用しプラス評価を行うことが望ましい。よってキャラクタ評価記憶部２３ｎの評価は図４に示すように基準点を１０点加算した上で、−２０〜２０点の範囲で行う。尚、これらの点数範囲は一例であり変更可能なものとする。
【０１０２】
これらの評価結果は評価対象コンテンツ又は任意に評価したＣＧＭコンテンツの格付けに使用され、これにより優良コンテンツとしての認定、有害コンテンツの発見、有害コンテンツへのモバイル接続の除去等を行う。
【０１０３】
（６．加速度評価処理動作）
評価対象コンテンツは、初回評価登録後に定期的に巡回評価される。初回評価の時刻を起点とし、巡回評価毎に各評価記憶部には更新データが蓄積され、これらの更新データは巡回時毎に加速度グラフとして作成される。以下に、巡回時に行う更新データの加速度評価について図１５のフローを参照して説明する。
【０１０４】
（ａ）ステップＳ１０１において、加速度分析エンジン手段１５ｏは加速度評価対象のコンテンツのコンテンツＩＤをＩＤ管理記憶部１６、その本文を本文記憶部２４から取得する。
【０１０５】
（ｂ）ステップＳ１０２において、加速度分析エンジン手段１５ｏは、取得したコンテンツＩＤ含まれる初回登録時のタイムスタンプを取得し、このタイムスタンプの時刻と一致する又は近時する独自キーワードランキングリストをキーワード記憶部１９より取得する。更に、加速度評価対象のコンテンツの本文よりキーワードを抽出し、抽出されたキーワードと一致する用語が取得した独自キーワードランキングリスト内に存在するか検索する。抽出されたキーワードと一致する用語がリスト内にある場合、そのリスト内のキーワードの得点が起点（タイムスタンプ時）の得点とされる。リストの得点をＸ点、参照した外部総合サイトサーバ２のキーワードランキングリスト数がｎ個だとすると、得点はＸ/ｎ点となる。つまり最高点は１００ｎ/ｎで１００最高ポイント点となる。次にタイムスタンプの起点から例えば１時間毎に、同様にステップＳ１０２の処理を繰り返し、ｘ軸を時間経過、ｙ軸をキーワード得点とした二次元グラフが作成される。このグラフはキーワード毎に作成してもよいし、加速度評価対象のコンテンツに複数のキーワードが含まれる場合、その合計点数をグラフ化してもよい。又はキーワードセグメントエンジン手段１５ｄが抽出するコンテンツの傾向を示す主たるキーワードのみを使用してもよい。尚、グラフは時間毎、日毎、週毎等に作成しても構わない。作成されたグラフは加速度評価記憶部２３ｏに格納される。
【０１０６】
（ｃ）ステップＳ１０３においては、加速度分析エンジン手段１５ｏが、トラフィック評価記憶部２３ｇに格納される加速度評価対象コンテンツＩＤのタイムスタンプを起点とした一時間毎のトラフィックデータ（閲覧率変化）を取得し、時間軸をｘ軸、閲覧率（客観的人気度）をｙ軸とした二次元グラフを作成する。更に、時間軸をｘ軸、キーワード得点（旬度）をｙ軸、閲覧率をｚ軸とした三次元グラフとして相関関係グラフを作成する。作成されたグラフは加速度評価記憶部２３ｏに格納される。
【０１０７】
（ｄ）ステップＳ１０４においては、加速度分析エンジン手段１５ｏが、リンク評価記憶部２３ｅに格納される加速度評価対象コンテンツＩＤのタイムスタンプを起点とした一時間毎のリンクイン・リンクアウトデータを取得し、時間軸をｘ軸、リンクイン・リンクアウト数をｙ軸とした二次元グラフを作成する。時間毎のリンクイン・リンクアウト数の計測により、時間毎に注目された度合いがグラフ化される。作成されたグラフは加速度評価記憶部２３ｏに格納される。
【０１０８】
（ｅ）ステップＳ１０５においては、加速度分析エンジン手段１５ｏが、ブックマーク評価記憶部２３ｌに格納される加速度評価対象コンテンツＩＤのタイムスタンプを起点とした一時間毎のタブックマーク直接投票データを取得し、時間軸をｘ軸、ブックマーク数をｙ軸とした二次元グラフを作成する。作成されたグラフは加速度評価記憶部２３ｏに格納される。
【０１０９】
（ｆ）ステップＳ１０６においては、加速度分析エンジン手段１５ｏが、オーディエンス評価記憶部２３ｋに格納される加速度評価対象コンテンツＩＤのタイムスタンプを起点とした一時間毎のオーディエンス直接投票データを取得し、時間軸をｘ軸、投票数をｙ軸とした二次元グラフを作成する。作成されたグラフは加速度評価記憶部２３ｏに格納される。
【０１１０】
（ｇ）ステップＳ１０７においては、加速度分析エンジン手段１５ｏが、コミッティ評価記憶部２３ｍに格納される加速度評価対象コンテンツＩＤのタイムスタンプを起点とした一時間毎の評価委員会直接投票データを取得し、時間軸をｘ軸、投票数をｙ軸とした二次元グラフを作成する。作成されたグラフは加速度評価記憶部２３ｏに格納される。
【０１１１】
（ｈ）最後にステップＳ１０８において、加速度評価記憶部２３ｏに格納される加速度データ（二次元グラフ、三次元グラフ）を基に、加速度予測エンジン手段１５ｐが今後の加速度を予測する。具体的に、加速度予測エンジン手段１５ｐは加速度予測のための式を加速度評価記憶部２３ｏに格納される各評価グラフ毎に作成する。
【０１１２】
時間とキーワードの加速度を予測する場合、時間をｔ（単位は１時間）、キーワード得点をｐとし、時間毎に計測したときの時間と得点を（ｔ１、ｐ１）（ｔ２、ｐ２）（ｔ３、ｐ３）と表現する。これらを、
ｙ＝ａｘ２＋ｂｘ＋ｃ…（式１）
式１に代入し、ａ、ｂ、ｃの値を得る。このとき、一番新しい時間である（ｔ３、ｐ３）の１時間後は、（ｔ３＋１、ｐ４）とすることができ、この方程式に入力することでｐ４（１時間後の得点）を求めることができる。尚（ｔ３、ｐ３）には必ず現在時刻又は一番新しい時間データが入力され、（ｔ２、ｐ２）は（１時間前データ）入力、（ｔ１、ｐ１）は（２時間前データ）入力となり、１時間毎にａ、ｂ、ｃ、の値は変化する。
【０１１３】
例えば、現在時刻αにて（ｔ１、ｐ１）（ｔ２、ｐ２）（ｔ３、ｐ３）＝（１、１００）（２、７０）（３、５０）だとすると、式１に代入し、ａ＝５、ｂ＝−４５、ｃ＝１４０となり、
ｙ＝５ｘ２−４５ｘ＋１４０…（式１’）
となる。この式１’にｔ４＝４を代入するとｙ＝４０となり、１時間先の得点は４０であると予測することができる。更に１時間経過後、つまりα＋１時間に（ｔ１、ｐ１）（ｔ２、ｐ２）（ｔ３、ｐ３）＝（１、７０）（２、５０）（３、８０）と計測されたとすると、式１に代入し、ａ＝２５、ｂ＝−９５、ｃ＝１４０となり、
ｙ＝２５ｘ２−９５ｘ＋１４０…（式１”）
となる。この式１”にｔ４＝４を代入するとｙ＝１６０となり、α＋２時間の得点は１６０であると予測することができる。
【０１１４】
加速度予測エンジン手段１５ｐは、上記の予測処理を、加速度評価記憶部２３ｏに格納される、時間が計測できるすべてのパラメータ、即ちトラフィックデータ、リンクイン・リンクアウトデータ、ブックマーク直接投票データ、オーディエンス直接投票データ、評価委員直接投票データに対して同様に行う。  
尚、３種類のデータを使用する場合には、三次元グラフを使用する。
【０１１５】
ｙ＝ａｘ３＋ｂｘ２＋ｃｘ+ｄ…（式２）
式２の三次元方程式に（ｔ１、ｐ１）（ｔ２、ｐ２）（ｔ３、ｐ３）（ｔ４、ｐ４）を代入し、式１の際と同様にａ、ｂ、ｃ、ｄの値を求め、求めた式にｔ５＝５を代入することで、１時間後の予測値が算出できる。
【０１１６】
各パラメータの相関関係データを蓄積していくことにより、より精度の高い予想が可能となる。
【０１１７】
最後に、加速度予測エンジン手段１５ｐは、加速度記憶部２５に予測分析済みの加速度グラフを格納する。尚、予測値のみでなく実際の評価結果も加速度記憶部２５にフィードバックされることが望ましい。
【０１１８】
この他、加速度予測エンジン手段１５ｐは、加速度記憶部２５内の過去の分析済み加速度グラフデータをチャート化し、チャート分析にて新規の加速度グラフデータの今後の傾向を予測することもできる。
【０１１９】
このように本発明の実施の形態に係るコンテンツ評価サーバによると複数種類の客観的評価項目と主観的評価項目を組み合わせ、合理的に対象コンテンツの評価を行い、評価結果により格付けすることができる。評価対象コンテンツ内のテキストのみばかりでなく、音声、動画をも評価対象とすることが出来る。これにより他社の音声、動画に関する著作権侵害を抑制することも可能となる。評価結果はプラス・マイナスの得点にて算出することが出来、マイナス得点である有害コンテンツの発見、削除を容易にする。これにより有害コンテンツ等へのモバイル接続制限を効果的に実施することができる。企業やコンテンツ制作者の評価依頼により、評価実施を行うことができる。各評価の内容、評価要素をサーバ側で任意に調整することができる。コンテンツの評価を適正に行うことにより、優良コンテンツの付加価値が向上する。又、効果的なＳＥＯ（サーチエンジン最適化）、ＳＥＭ（検索エンジンマーケティング）対策ともなる。更に、評価結果を分析することで、今後のコンテンツの人気度を予測することもできる。
【図面の簡単な説明】
【０１２０】
【図１】本発明の実施の形態に係るコンテンツ評価システムの構成図である。
【図２】本発明の実施の形態に係るコンテンツ評価サーバの内部構成図である。
【図３】評価に使用するデータ項目の関係を示す組織図である。
【図４】評価に使用するデータ項目のリスト図である。
【図５】評価結果の円グラフ図である。
【図６】コンテンツ評価サーバの全体動作を示す図である。
【図７】コンテンツ評価サーバのクローリング処理を示すフロー図である。
【図８】コンテンツ評価サーバのＮＧワードリスト作成処理を示すフロー図である。
【図９】コンテンツ評価サーバの独自キーワード作成処理を示すフロー図である。
【図１０】コンテンツ評価サーバのブックマーク集計処理を示すフロー図である。
【図１１】コンテンツ評価サーバのオーディエンス評価処理を示すフロー図である。
【図１２】コンテンツ評価サーバの評価委員会評価処理を示すフロー図である。
【図１３】コンテンツ評価サーバの初回評価処理を示すフロー図である。
【図１４】コンテンツ評価サーバの定期巡回評価処理を示すフロー図である。
【図１５】コンテンツ評価サーバの加速度評価及び加速度予測処理を示すフロー図である。
【符号の説明】
【０１２１】
１…コンテンツ評価サーバ
２…外部総合サイトサーバ
３…オーディエンス評価ページ
４…評価委員会サイト
５…インターネット
６…ＴＶポータルサービス
７…モバイルサイト
８…個人ブログ
９…企業ホームページ
１１…入力装置
１２…出力装置
１３…通信制御装置
１４…主記憶装置
１５…ＣＰＵ
１５ａ…タイムマネージングエンジン手段
１５ｂ…ＮＧワードエンジン手段
１５ｃ…キーワードランキングエンジン手段
１５ｄ…キーワードセグメントエンジン手段
１５ｅ…リンクエンジン手段
１５ｆ…コピペエンジン手段
１５ｇ…トラフィックエンジン手段
１５ｈ…ページエンジン手段
１５ｉ…ビュータイムエンジン手段
１５ｊ…スパムエンジン手段
１５ｋ…オーディエンスエンジン手段
１５ｌ…ブックマークエンジン手段
１５ｍ…コミッティエンジン手段
１５ｎ…キャラクタエンジン手段
１５ｏ…加速度分析エンジン手段
１５ｐ…加速度予測エンジン手段
１６…ＩＤ管理記憶部
１７…未処理本文記憶部
１８…ＮＧワード記憶部
１９…キーワード記憶部
２０…ブックマーク記憶部
２１…オーディエンス記憶部
２２…コミッティ記憶部
２３…評価記憶部
２３ｂ…ＮＧワード評価記憶部
２３ｃ…キーワードランキング評価記憶部
２３ｄ…キーワードセグメント評価記憶部
２３ｅ…リンク評価記憶部
２３ｆ…コピペ評価記憶部
２３ｇ…トラフィック評価記憶部
２３ｈ…ページ評価記憶部
２３ｉ…ビュータイム評価記憶部
２３ｊ…スパム評価記憶部
２３ｋ…オーディエンス評価記憶部
２３ｌ…ブックマーク評価記憶部
２３ｍ…コミッティ評価記憶部
２３ｎ…キャラクタ評価記憶部
２３ｏ…加速度評価記憶部
２４…本文記憶部
２５…加速度記憶部
１００…コンテンツ評価システム
【図１】
2010044462.tif 000003
【図２】
2010044462.tif 000004
【図３】
2010044462.tif 000005
【図４】
2010044462.tif 000006
【図５】
2010044462.tif 000007
【図６】
2010044462.tif 000008
【図７】
2010044462.tif 000009
【図８】
2010044462.tif 000010
【図９】
2010044462.tif 000011
【図１０】
2010044462.tif 000012
【図１１】
2010044462.tif 000013
【図１２】
2010044462.tif 000014
【図１３】
2010044462.tif 000015
【図１４】
2010044462.tif 000016
【図１５】
2010044462.tif 000017